【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
（Ａ）酸成分およびグリコール成分を含む繰り返し単位を有する芳香族ポリエステルコポリマー（ａ）であり、前記酸成分が、テレフタル酸を約５０〜９０モル％、スルホン酸金属塩を約０．２〜約６モル％、および脂肪族ジカルボン酸を約４〜４９．８モル％含み、前記グリコール成分が、エチレングリコールを約５０〜９９．９モル％およびジエチレングリコールを約０．１〜５０モル％含む、芳香族ポリエステルコポリマー（ａ）と、
前記コポリマー（ａ）とポリアルキレングリコールとの共重合によって調製されるポリエステルコポリマー（ｂ）と、
前記コポリマー（ａ）とポリアルキレングリコールとの重縮合によって調製される分枝状ポリエステルコポリマー（ｃ）と、
芳香族ジカルボン酸およびグリコール成分を含む繰り返し単位を有するポリエステルコポリマー（ｄ）であり、但し、前記ポリエステルコポリマーの前記芳香族ジカルボン酸のモル％が、前記コポリマー（ａ）、（ｂ）および（ｃ）のカルボン酸含有量のモル％よりも少ない、ポリエステルコポリマー（ｄ）とからなる群から選択される少なくとも１種のポリエステルを２０〜９８．８質量％、
（Ｂ）強化材料および充填材料からなる群から選択される材料を１〜６０質量％、
（Ｃ）結晶化促進剤を０．１〜７質量％、および
（Ｄ）滑剤を０．１〜５質量％、
含むことを特徴とする成形組成物。
【請求項２】
前記成形組成物が、無機難燃剤、リンベースの難燃剤およびフェノールポリマーから選択される少なくとも１種の難燃剤をさらに含むことを特徴とする請求項１に記載の成形組成物。
【請求項３】
前記成形組成物が、無機難燃剤を１〜６０質量％含むことを特徴とする請求項２に記載の成形組成物。
【請求項４】
前記無機難燃剤が、Ｍｇ（ＯＨ）２、Ａｌ（ＯＨ）３などの水酸化物であることを特徴とする請求項２または３に記載の成形組成物。
【請求項５】
前記成形組成物の融点が１７０℃以上、２４０℃以下であることを特徴とする請求項１から４のいずれか一項に記載の成形組成物。
【請求項６】
前記成形組成物が、前記コポリマー（ａ）、（ｂ）、（ｃ）および（ｄ）のブレンドであることを特徴とする請求項１から５のいずれか一項に記載の成形組成物。
【請求項７】
請求項１から６のいずれか一項に記載の成形組成物から作製されることを特徴とする成形品。
【請求項８】
前記成形品が、射出成形品、シート成形品、真空成形品、インジェクションブロー成形品、ダイレクトブロー成形品であることを特徴とする請求項７に記載の成形品。
【請求項９】
前記成形品が、８０℃以上の温度で熱変形性を有し、かつ、結晶化スピードが１２０℃で１．２分よりも早いことを特徴とする請求項７または８に記載の成形品。
【請求項１０】
前記成形品が、生分解性であることを特徴とする請求項７から９のいずれか一項に記載の成形品。
【請求項１１】
（Ｉ）（Ａ）酸成分およびグリコール成分を含む繰り返し単位を有する芳香族ポリエステルコポリマー（ａ）であり、前記酸成分が、テレフタル酸を約５０〜９０モル％、スルホン酸金属塩を約０．２〜約６モル％、および脂肪族ジカルボン酸を約４〜４９．８モル％含み、前記グリコール成分が、エチレングリコールを約５０〜９９．９モル％およびジエチレングリコールを約０．１〜５０モル％含む、芳香族ポリエステルコポリマー（ａ）と、
前記コポリマー（ａ）とポリアルキレングリコールとの共重合によって調製されるポリエステルコポリマー（ｂ）と、
前記コポリマー（ａ）とポリアルキレングリコールとの重縮合によって調製される分枝状ポリエステルコポリマー（ｃ）と、
芳香族ジカルボン酸およびグリコール成分を含む繰り返し単位を有するポリエステルコポリマー（ｄ）であり、但し、前記ポリエステルコポリマーの前記芳香族ジカルボン酸のモル％が、前記コポリマー（ａ）、（ｂ）および（ｃ）のカルボン酸含有量のモル％よりも少ない、ポリエステルコポリマー（ｄ）とからなる群から選択される少なくとも１種のポリエステルを２０〜９８．８質量％、
（Ｂ）強化材料および充填材料からなる群から選択される材料を１〜６０質量％、
（Ｃ）結晶化促進剤を０．１〜７質量％、および
（Ｄ）滑剤０．１〜５質量％をブレンドする工程、並びに、
（ＩＩ）前記ブレンド工程によって調製された成形組成物を成形する工程を含むことを特徴とする成形品の製造方法。
【請求項１２】
さらに、１２０℃での結晶化工程を含むことを特徴とする請求項１１に記載の成形品の製造方法。
【請求項１３】
前記成形組成物が、無機難燃剤、リンベースの難燃剤およびフェノールポリマーから選択される少なくとも１種の難燃剤を１〜６０質量％さらに含むことを特徴とする請求項１１または１２に記載の成形品の製造方法。
【手続補正２】
【補正対象書類名】明細書
【補正対象項目名】０００６
【補正方法】変更
【補正の内容】
【０００６】
ポリオレフィン、ポリエステル、ポリアミドおよびポリ塩化ビニルを含む、このような熱可塑性材料は、熱可塑性材料で一般的に使用される技術、例えば、圧縮成形、射出成形、押出成形、ブロー成形のいずれによる成形製品においても有用である。しかしながら、ある種の用途、例えば日常品、電子器具、産業上の用途および自動車用途において、生分解性ポリマーから作られる製品は、このような他の熱可塑性材料から作られる製品の機械的強度および耐熱性以上のものを有することが望ましい。脂肪族ポリエステルの成形組成物への充填材の添加は、耐熱性および弾性率を改善できるが、上記用途からの要求を十分満足する成形サイクル、型離れ性および成形適性を改善することはできない。上述のように、脂肪族ポリエステル樹脂は、充填材を添加することで、強度および耐熱性を改善している。しかし、それらは、日常品、電子器具、産業上の用途および自動車用途などでの実用面では、十分な剛性、耐衝撃性および耐熱性を欠いたままである。さらに、充填材を有する脂肪族ポリエステルを射出成形するとき、それが低い成形適性、例えば低い型離れ性または長い成形サイクルの原因となる。
【手続補正３】
【補正対象書類名】明細書
【補正対象項目名】００１０
【補正方法】変更
【補正の内容】
【００１０】
本発明の他の実施態様には無機難燃剤を含む。本発明は、前記ポリマー（ａ）、（ｂ）、（ｃ）および（ｄ）のブレンドから形成される射出成形品をも意図している。本発明の射出成形品の好ましい実施態様では、８０℃以上の温度で熱変形性を有し、かつ、成形組成物の結晶化スピードが、１２０℃で１．２分より早い。本発明は、生分解性である射出成形品をさらに提供する。
【手続補正４】
【補正対象書類名】明細書
【補正対象項目名】００２４
【補正方法】変更
【補正の内容】
【００２４】
ポリエステルコポリマー（ｄ）は、コポリマー（ａ）、（ｂ）および（ｃ）のいずれか中に含まれる芳香族カルボン酸の量よりも少ない量の芳香族ジカルボン酸を含有する酸成分並びにグリコール成分を含む。例えば、ポリコハク酸ブチレン、ポリラクチド、ポリカプロラクトンを適用できる。
【手続補正５】
【補正対象書類名】明細書
【補正対象項目名】００４４
【補正方法】変更
【補正の内容】
【００４４】
予期しない程の早い結晶化速度並びに耐熱性および成形適性の改善で特徴づけられる前記組成物を、結晶化工程を含む他の成形方法に適用することもでき、例えば、シート成形、真空成形、インジェクションブローおよびダイレクトブローなどである。